(57)【要約】【課題】保管中とか運搬中の強度を十分に確保することができる、通水管の梱包装置を提供する。【解決手段】梱包装置２は、段ボール箱体３と回動部材５と軸部材６とからなる。段ボール箱体３は、通水管１の管束１ａを収容し、通水管１を外に引き出すための引出部３ｃを備えている。回動部材５は、段ボール箱体３に収容されて、管束１ａを支える。軸部材６は、回動部材５が前記管束１ａとともにその管束１ａの周方向に回動可能となるよう支持する。ここで、段ボール箱体３の底壁３ｑと管束１ａとの間の間隙Ｓには、スペーサー７が配備される。そして、スペーサー７は、管束１ａから離れるように移動可能となっている。【選択図】  図２
2004231282.tif 000002
【特許請求の範囲】
【請求項１】
周回状に巻回された架橋ポリエチレン等の合成樹脂材料からなる通水管の管束を梱包する梱包装置であって、
前記管束を収容するとともに、前記通水管をその端部から順に外に引き出すための引出部が備わる、段ボール箱体と、
前記段ボール箱体に収容されて、前記管束を支える回動部材と、
前記回動部材が前記管束とともにその管束の周方向に回動可能となるよう支持する支持部材と、を備え、
前記段ボール箱体における前記管束の外周面と対向する一の周壁と、前記回動部材に支えられる前記管束との間の間隙には、スペーサーが配備され、
前記スペーサーは、前記管束から離れるように移動可能となっていることを特徴とする、通水管の梱包装置。
【請求項２】
前記スペーサーは、前記段ボール箱体における前記管束の各側面と対向する側壁間にちょうど嵌まる、幅寸法を有していることを特徴とする、請求項１に記載の、通水管の梱包装置。
【請求項３】
前記スペーサーは、前記一の周壁と、前記管束または／および前記回動部材とに当接する、高さ寸法を有していることを特徴とする、請求項１または２に記載の、通水管の梱包装置。
【請求項４】
前記スペーサーには、前記段ボール箱体の外部まで延びる線条材が接続されており、その線条材を前記段ボール箱体の外部から引くことで、前記スペーサーは、前記管束から離れるように移動することを特徴とする、請求項１ないし３のいずれか１項に記載の、通水管の梱包装置。
【請求項５】
前記スペーサーは、前記線条材の有する剛性により所定の位置に維持されることを特徴とする、請求項４に記載の、通水管の梱包装置。
【請求項６】
前記線条材には、その先端部分に、指を掛けることができる、指掛け部が設けられていることを特徴とする、請求項４または５に記載の、通水管の梱包装置。
【請求項７】
前記スペーサーは、段ボール製であって、その段ボールが折り曲げられて形成されていることを特徴とする、請求項１ないし６のいずれか１項に記載の、通水管の梱包装置。
【請求項８】
前記段ボール箱体における、前記通水管を引き出す際に下部に位置する底壁が、前記一の周壁となっていることを特徴とする、請求項１ないし７のいずれか１項に記載の、通水管の梱包装置。
【請求項９】
前記引出部は、前記段ボール箱体における、前記通水管を引き出す際に上部に位置する上壁に設けられていることを特徴とする、請求項８に記載の、通水管の梱包装置。
【請求項１０】
前記スペーサーの移動方向は、前記底壁に沿う方向であって、前記スペーサーは、前記段ボール箱体の隅部まで移動することを特徴とする、請求項８または９に記載の、通水管の梱包装置。
【請求項１１】
前記スペーサーの移動方向は、前記底壁に沿う方向であって、前記通水管の引き出しによる前記管束の回動によって、その管束における前記底壁に面する部分が進む側の方向となっていることを特徴とする、請求項８または９に記載の、通水管の梱包装置。
【請求項１２】
請求項１ないし１１のいずれか１項に記載の梱包装置と、前記通水管とからなる、通水管の梱包装置体。
【請求項１３】
請求項８ないし１１のいずれか１項に記載の梱包装置と、前記通水管とからなる、通水管の梱包装置体であって、
前記管束は、結束されてなり、
前記底壁と前記結束された管束との間の前記間隙は、前記スペーサーを前記管束から離れるように移動するとともに、前記管束の結束を開放することで、前記管束が広がって垂れ下がることのできる空間となっていることを特徴とする、通水管の梱包装置体。
【請求項１４】
前記回動部材の回動軸心は、前記段ボール箱体の上方側に、偏心位置していることを特徴とする、請求項１３に記載の、通水管の梱包装置体。
【発明の詳細な説明】
【０００１】
【発明の属する技術分野】
この発明は、合成樹脂材料からなる通水管の管束を梱包する、通水管の梱包装置、および通水管の梱包装置体に関するものである。
【０００２】
【従来の技術】
従来、例えば、架橋ポリエチレン製等の合成樹脂製の可撓性を備えた給水管は、数十ｍ単位の長尺体が巻回された状態で、樹脂バンドにより固定され、段ボール箱内に収容されていた。このように段ボール箱内に収容された給水管は、施工現場等において、巻回状態のまま段ボール箱内から取り出された。そして、この給水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
なお、給水管用の装置ではないが、ケーブルの収納装置として、例えば、図１０に示されるような、ケーブル２２を回動可能に支持する収納装置２１があった（特許文献１参照）。この収納装置２１は、ケーブル２２が、巻回された状態で、箱体２３内に収納されていた。そして、箱体２３は、縦置きにされて、壁面２３ａの下部に明けられた引出孔２３ｂから、ケーブル２２が順次引き出された。
【０００４】
【特許文献１】
特開平１０−２９１７３７号公報
【０００５】
【発明が解決しようとする課題】
ところで、前記従来の巻回状態の給水管にあっては、巻き癖が強く、巻回状態の給水管を、回転させずにそのまま引き出すと、前記巻き癖と引き出された給水管の捩れにより、この給水管を鞘管内に挿通することが困難であった。
【０００６】
そこで、例えば、複数人の作業者により、一人が巻回状態の給水管を回動可能に保持し、もう一人が給水管を先端側から順次引き出して鞘管内に挿通することで、その給水管を配管するようにしていた。また、別途、回転ドラムを用意し、段ボール箱内から取り出した巻回状態の給水管を、回転ドラムに装着し、その回転ドラムにより、巻回状態の給水管を回転させるようにして、給水管を先端側から引き出すこともあった。しかし、上記のいずれの引き出し方法も、複数人の作業者を必要としたり、回転ドラムを用意する必要があったりして、面倒で作業性が悪かった。
【０００７】
そこで、前記ケーブル２２の収納装置２１の構造を、給水管に適用すると、架橋ポリエチレン製等の給水管は、極めて剛性が高く、小径に巻回することができないため（例えば、ＪＩＳ６７６９には、その巻回された管束の内径が、最小で５０ｃｍと規定されている。）、給水管を収容する箱体を非常に大きくする必要があった。しかも、給水管は、剛性が高いため、管束が広がり、箱体の壁と接触して管束の回動が妨げられる虞があるため、管束と箱体の壁との間隙を十分に確保する必要があった。したがって、この箱体を段ボールによって製作する場合には、その強度を確保することが極めて困難であり、運搬あるいは保管中に、箱体が潰れる虞があった。
【０００８】
この発明は、上記した従来の問題点を解決するためになされたものであり、その目的とするところは、保管中とか運搬中の強度を十分に確保することができる、通水管の梱包装置、および通水管の梱包装置体を提供することにある。
【０００９】
【課題を解決するための手段】
この発明に係る通水管の梱包装置、および通水管の梱包装置体は、前記目的を達成するために、次の構成からなる。すなわち、
請求項１に記載の発明に係る通水管の梱包装置は、周回状に巻回された架橋ポリエチレン等の合成樹脂材料からなる通水管の管束を梱包する梱包装置である。この梱包装置は、前記管束を収容するとともに、前記通水管をその端部から順に外に引き出すための引出部が備わる、段ボール箱体と、前記段ボール箱体に収容されて、前記管束を支える回動部材と、前記回動部材が前記管束とともにその管束の周方向に回動可能となるよう支持する支持部材と、を備える。ここで、前記段ボール箱体における前記管束の外周面と対向する一の周壁と、前記回動部材に支えられる前記管束との間の間隙には、スペーサーが配備される。そして、前記スペーサーは、前記管束から離れるように移動可能となっている。
【００１０】
このように、段ボール箱体に、周回状に巻回された架橋ポリエチレン等の合成樹脂材料からなる通水管の管束と、その管束を支える回動部材が収容される。そして、支持部材は、回動部材が管束とともにその管束の周方向に回動可能となるよう支持するものであり、こうして、段ボール箱体に収容された管束は、その管束の周方向に回動可能となる。ところで、管束となった通水管は、段ボール箱体に収容されて、保管されたり運搬されたりする。このとき、段ボール箱体における管束の外周面と対向する一の周壁と、管束との間の間隙には、スペーサーが配備されて、段ボール箱体の潰れが防止される。そして、通水管を配管する場合には、スペーサーが邪魔にならないように、そのスペーサーを移動させることで管束から離れさせる。そこで、段ボール箱体内の通水管を、その端部から順に、段ボール箱体に備わる引出部を通して、外に引き出すが、この引き出しに伴って、管束とともに回動部材が回動する。なお、回動部材が管束とともに回動するとは、回動部材が管束と一体となって回動する場合は勿論、管束の回動に伴って、回動部材が管束よりも遅れて回動する場合も含むものである。
【００１１】
また、請求項２に記載の発明に係る通水管の梱包装置のように、請求項１に記載の梱包装置において、前記スペーサーは、前記段ボール箱体における前記管束の各側面と対向する側壁間にちょうど嵌まる、幅寸法を有していてもよい。こうして、スペーサーが、段ボール箱体の側壁間にちょうど嵌まることで、段ボール箱体の潰れが一層防止される。
【００１２】
また、請求項３に記載の発明に係る通水管の梱包装置のように、請求項１または２に記載の梱包装置において、前記スペーサーは、前記一の周壁と、前記管束または／および前記回動部材とに当接する、高さ寸法を有していてもよい。こうして、スペーサーが、段ボール箱体における一の周壁と、管束または／および回動部材とに当接し、運搬中の振動によって回動部材および管束が回動するのが阻止される。
【００１３】
また、請求項４に記載の発明に係る通水管の梱包装置のように、請求項１ないし３のいずれか１項に記載の梱包装置において、前記スペーサーには、前記段ボール箱体の外部まで延びる線条材が接続されており、その線条材を前記段ボール箱体の外部から引くことで、前記スペーサーは、前記管束から離れるように移動してもよい。このように、スペーサーに接続された線条材を段ボール箱体の外部から引くというように、段ボール箱体の外部から操作することで、スペーサーを管束から離れるように移動させることができる。
【００１４】
また、請求項５に記載の発明に係る通水管の梱包装置のように、請求項４に記載の梱包装置において、前記スペーサーは、前記線条材の有する剛性により所定の位置に維持されてもよい。このように、スペーサーは、線条材が接続されることで、所定の位置に留まる。
【００１５】
また、請求項６に記載の発明に係る通水管の梱包装置のように、請求項４または５に記載の梱包装置において、前記線条材には、その先端部分に、指を掛けることができる、指掛け部が設けられてもよい。これにより、スペーサーを管束から離れるように移動させる際に、線条材の指掛け部に指を掛けることで、線条材を簡単に引くことができる。
【００１６】
また、請求項７に記載の発明に係る通水管の梱包装置のように、請求項１ないし６のいずれか１項に記載の梱包装置において、前記スペーサーは、段ボール製であって、その段ボールが折り曲げられて形成されてもよい。こうして、スペーサーは、段ボールが折り曲げられて形成されることから、このスペーサーは、安価に製造され、また、その廃棄も容易である。
【００１７】
また、請求項８に記載の発明に係る通水管の梱包装置のように、請求項１ないし７のいずれか１項に記載の梱包装置において、前記段ボール箱体における、前記通水管を引き出す際に下部に位置する底壁が、前記一の周壁となるのが望ましい。ここで、通水管は、その有する剛性により、管束の径が広がって下方に垂れ下がる虞がある。したがって、管束が底壁に接触しないように、あるいは、底壁への管束の接触を和らげるように、管束と底壁との間の寸法を大きくする必要があり、その結果、段ボール箱体は、その部分が潰れ易くなる。このとき、管束と底壁との間に、スペーサーが配備されることで、段ボール箱体の潰れが効率的に防止される。
【００１８】
また、請求項９に記載の発明に係る通水管の梱包装置のように、請求項８に記載の梱包装置において、前記引出部は、前記段ボール箱体における、前記通水管を引き出す際に上部に位置する上壁に設けられてもよい。
【００１９】
また、請求項１０に記載の発明に係る通水管の梱包装置のように、請求項８または９に記載の梱包装置において、前記スペーサーの移動方向は、前記底壁に沿う方向であって、前記スペーサーは、前記段ボール箱体の隅部まで移動してもよい。
【００２０】
また、請求項１１に記載の発明に係る通水管の梱包装置のように、請求項８または９に記載の梱包装置において、前記スペーサーの移動方向は、前記底壁に沿う方向であって、前記通水管の引き出しによる前記管束の回動によって、その管束における前記底壁に面する部分が進む側の方向となるのが好ましい。これにより、スペーサーを管束から離れるように移動させたときに、管束が広がってスペーサーに接触した場合であっても、管束がスペーサーを元の側に引き込むことがなく、管束の回動は妨げられない。
【００２１】
また、請求項１２に記載の発明に係る通水管の梱包装置体は、請求項１ないし１１のいずれか１項に記載の梱包装置と、前記通水管とからなる。
【００２２】
また、請求項１３に記載の発明に係る通水管の梱包装置体は、請求項８ないし１１のいずれか１項に記載の梱包装置と、前記通水管とからなる、梱包装置体である。ここで、前記管束は、結束されてなる。そして、前記底壁と前記結束された管束との間の前記間隙は、前記スペーサーを前記管束から離れるように移動するとともに、前記管束の結束を開放することで、前記管束が広がって垂れ下がることのできる空間となっている。こうして、間隙が、管束が広がって垂れ下がることのできる空間となることから、管束の結束を開放したときに、管束が段ボール箱体の底壁に接触することがなく、あるいは、底壁への管束の接触が和らげられたりする。
【００２３】
また、請求項１４に記載の発明に係る通水管の梱包装置体は、請求項１３に記載の梱包装置体において、前記回動部材の回動軸心は、前記段ボール箱体の上方側に、偏心位置している。これにより、底壁と管束との間の間隙が、確実に確保され、しかも、段ボール箱体がコンパクトとなる。
【００２４】
【発明の実施の形態】
図１ないし図８は、本発明に係る、通水管の、梱包装置および梱包装置体の一実施の形態を示す。図中符号１は、例えば、配管材としての、架橋ポリエチレンあるいはポリブデン等の合成樹脂材料からなる、可撓性を備えた、給水管等の通水管である。２は、周回状に巻回された前記通水管１の管束１ａを梱包する梱包装置である。１１は、梱包装置体であって、前記梱包装置２と、前記通水管１とからなる。
【００２５】
梱包装置２は、前記管束１ａを収容する段ボール箱体３と、その段ボール箱体３に収容されて前記管束１ａを支える回動部材５と、その回動部材５が前記管束１ａとともにその管束１ａの周方向に回動可能となるよう支持する支持部材としての軸部材６と、を備えている。ここで、段ボール箱体３における前記管束１ａの外周面１ｃと対向する一の周壁Ｗと、回動部材５に支えられる前記管束１ａとの間の間隙Ｓには、スペーサー７が配備される。そして、このスペーサー７は、管束１ａから離れるように移動可能となっている。なお、回動部材５が管束１ａとともに回動するとは、回動部材５が管束１ａと一体となって回動する場合は勿論、管束１ａの回動に伴って、回動部材５が管束１ａよりも遅れて回動する場合も含む。
【００２６】
ここにおいて、段ボール箱体３は、例えば、矩形形状の六面体、すなわち直六面体からなる。そして、この段ボール箱体３には、通水管１をその端部から順に外に引き出すための引出部３ｃが備わっている。詳細には、引出部３ｃは、段ボール箱体３における、通水管１を引き出す際に上部に位置する上壁３ｔに設けられている。そして、引出部３ｃには、その引出部３ｃを開閉する蓋３ｄが設けられている。そして、段ボール箱体３には、蓋３ｄの閉状態および開状態を保持するための保持手段Ｈとなるクリップ４が設けられている。なお、符号３ｐは、段ボール箱体３の各側壁３ｆに明けられた貫通孔であり、この貫通孔３ｐに、後に詳述する軸部材６が挿通される。そして、この貫通孔３ｐによって、回動軸心Ｊが形成されるが、図示実施の形態においては、回動軸心Ｊは、段ボール箱体３の上方側に、偏心位置している。
【００２７】
回動部材５は、例えば紙製（詳細には、段ボール製）であって、段ボール箱体３における各側壁３ｆに隣接するとともに軸孔５ｆが明けられた側板部５ｃを備えている（図３参照）。詳細には、回動部材５は、図６および図７に示すように、二つの分割体５ａ、５ａにより構成されている。図示実施の形態においては、これら二つの分割体５ａ、５ａは、同一の形状および同一の寸法からなる。そして、各分割体５ａは、管束１ａの各側面１ｂが段ボール箱体３の内壁面と摺接するのを防止する摺接防止部５ｂを有する前記側板部５ｃと、その側板部５ｃから突設されて管束１ａの中央空間１ｄに挿入される挿入部５ｄとを備えている。そして、二つの分割体５ａ、５ａは、管束１ａの側面１ｂ、１ｂの各側から挿入部５ｄ、５ｄが対向して前記中央空間１ｄに挿入されて、挿入部５ｄ、５ｄ同士が互いに他の挿入部５ｄを補強し合うように嵌め合わされることにより、互いに組み付けられる。また、こうして、二つの分割体５ａ、５ａは、互いに組み付けられることで、管束１ａに取り付けられる。
【００２８】
具体的には、分割体５ａは、段ボール板からなる。すなわち、この段ボール板によって側板部５ｃが形成され、また、挿入部５ｄは、側板部５ｃから延設されるよう、段ボール板が切り起されるようにして形成されている（図７参照）。詳細には、挿入部５ｄは、側板部５ｃから相対面して突設される一対の対面板Ｐ、Ｐからなる。そして、回動部材５の二つの分割体５ａ、５ａにおいて、一対の対面板Ｐ、Ｐが、互いに他の一対の対面板Ｐ、Ｐを補強し合うように井桁状に嵌め合わされることで、挿入部５ｄの挿入方向に直交する断面において、回動部材５の回動軸心Ｊを囲むようにして閉鎖する枠体Ｙを形成している（図２参照）。また、二つの分割体５ａ、５ａの各挿入部５ｄ、５ｄには、互いに対応する位置にその挿入部５ｄの先端側から切り込まれたスリット５ｅ、５ｅが設けられている。そして、二つの分割体５ａ、５ａにおける挿入部５ｄ、５ｄは、両スリット５ｅ、５ｅ部分での嵌め合いにより掛かり合い、こうして、二つの分割体５ａ、５ａは、挿入部５ｄ、５ｄ同士が互いに他の挿入部５ｄを補強し合うように嵌め合わされる。なお、回動部材５（詳細には、分割体５ａ、５ａの側板部５ｃ、５ｃ）には、その回動軸心Ｊ部分に、前述の軸孔５ｆ、５ｆが明けられている。
【００２９】
軸部材６は、例えば紙製であって、図３に示すように、段ボール箱体３の側壁３ｆ、３ｆ、つまりは管束１ａの各側面１ｂ、１ｂと対向する側壁３ｆ、３ｆに、渡されるようにして取り付けられる。詳細には、軸部材６は、回動部材５に明けられた軸孔５ｆ、５ｆに挿通されるとともに、側壁３ｆ、３ｆ間が広がるのを防止すべく、両側壁３ｆ、３ｆに渡されるようにして取り付けられる。より詳細には、この軸部材６は、各側壁３ｆ、３ｆに明けられた貫通孔３ｐ、３ｐおよび前記軸孔５ｆ、５ｆに通される軸本体６ａと、その軸本体６ａの両端部分に設けられて側壁３ｆ、３ｆの外面と対向する鍔部６ｂ、６ｂとを備える。そして、軸本体６ａは、両鍔部６ｂ、６ｂが離間しないように、それら鍔部６ｂ、６ｂを保持する。
【００３０】
具体的には、図３および図８に示すように、軸部材６は、前記軸本体６ａと、前記鍔部６ｂ、６ｂが備わる板状の鍔材６ｈ、６ｈとからなる。ここで、軸本体６ａは、前記貫通孔３ｐ、３ｐおよび前記軸孔５ｆ、５ｆに、当接するようにして挿通される管材Ｋ、例えば板紙からなる円筒状の管材を有している。一方、鍔材６ｈは、例えば円盤状に形成されて、その周縁部分が、前記鍔部６ｂとなっている。そして、この鍔材６ｈが、管材Ｋの端面に接着等により固着している。
【００３１】
また、管材Ｋは、一方側の貫通孔３ｐおよび軸孔５ｆに通される第１の管材６ｃと、他方側の貫通孔３ｐおよび軸孔５ｆに通される第２の管材６ｄとからなる。そこで、軸部材６は、一方側の鍔材６ｈと第１の管材６ｃとが固着した第１の分割体６ｉと、他方側の鍔材６ｈと第２の管材６ｄとが固着した第２の分割体６ｊとを有して、それら分割体６ｉ、６ｊが互いに接続されてなる。図示実施の形態においては、第１の分割体６ｉは、第１の管材６ｃに嵌められて、例えば接着によって固定された連設部６ｅを有している。そして、その連設部６ｅが、第２の分割体６ｊにおける前記第２の管材６ｄに嵌められる。このとき、第１の分割体６ｉと第２の分割体６ｊとは、第１の分割体６ｉにおける連設部６ｅの端面に、第２の分割体６ｊにおける鍔材６ｈの裏面が接着されることで接続される。
【００３２】
そして、連設部６ｅは、図８に示すように、例えば段ボールからなる平板状の複数（図示実施の形態においては２枚）の板片６ｆ、６ｆからなる。この板片６ｆ、６ｆには、その縁部から切り込まれたスリット６ｇ、６ｇが設けられており、それら板片６ｆ、６ｆは、互いのスリット６ｇ、６ｇ部分での嵌め合いにより掛かり合って組み付けられている。
【００３３】
スペーサー７は、例えば、段ボール製であって、その段ボールが折り曲げられて形成されている。そして、スペーサー７は、段ボール箱体３における管束１ａの各側面１ｂ、１ｂと対向する側壁３ｆ  、３ｆ間にちょうど嵌まる、幅寸法を有している。また、スペーサー７は、段ボール箱体３における前記一の周壁Ｗと、前記管束１ａまたは／および回動部材５（図示実施の形態においては、管束１ａ）とに当接する、高さ寸法を有している。詳細には、段ボール箱体３における、通水管１を引き出す際に下部に位置する底壁３ｑが、前記一の周壁Ｗとなっている。そして、管束１ａは、使用前においては、例えば結束線１２、１２により、結束されており、底壁３ｑと、結束された管束１ａとの間の前記間隙Ｓは、スペーサー７を管束１ａから離れるように移動するとともに管束１ａの結束を開放することで、管束１ａが広がって垂れ下がることのできる空間となっている（図２、図５参照）。また、スペーサー７の移動方向は、底壁３ｑに沿う方向であって、通水管１の引き出しによる管束１ａの回動によって、その管束１ａにおける前記底壁３ｑに面する部分が進む側の方向となっている。さらに、このスペーサー７は、段ボール箱体３の隅部まで移動するようになっている。
【００３４】
具体的には、スペーサー７は、底壁３ｑ（一の周壁Ｗ）と管束１ａとの間の間隙Ｓであって、最も狭くなった部分（図示実施の形態においては中央部分）に配備されている。そして、スペーサー７には、段ボール箱体３の外部まで延びる線条材としての針金８が接続されている。すなわち、針金８の一端が、スペーサー７に接続され、他端が、段ボール箱体３に明けられた通孔３ｒを通して外部に露出している。そして、針金８には、その先端部分に、例えば直角に折り曲げられて、指を掛けることができる、指掛け部８ａが設けられている。ここで、スペーサー７は、針金８の有する剛性により所定の位置に維持される。そして、針金８を段ボール箱体３の外部から引くことで、スペーサー７は、前記管束１ａから離れるように移動する。なお、図示実施の形態においては、スペーサー７を移動した後、引き出された針金８は、そのままの状態で段ボール箱体３の壁面に沿うように折り曲げられるが（図４、図５参照）、その後に、あるいは、その前に、適宜位置で切断されてもよい。
【００３５】
次に、以上の構成からなる梱包装置２および梱包装置体１１の作用効果について説明する。この梱包装置体１１によると、段ボール箱体３に、周回状に巻回された架橋ポリエチレン等の合成樹脂材料からなる通水管１の管束１ａと、その管束１ａを支える回動部材５が収容される。そして、軸部材６は、回動部材５が管束１ａとともにその管束１ａの周方向に回動可能となるよう支持するものであり、こうして、段ボール箱体３に収容された管束１ａは、その管束１ａの周方向に回動可能となる。ところで、管束１ａとなった通水管１は、段ボール箱体３に収容されて、保管されたり運搬されたりする。このとき、段ボール箱体３における管束１ａの外周面１ｃと対向する一の周壁Ｗ（詳細には、底壁３ｑ）と、管束１ａとの間の間隙Ｓには、スペーサー７が配備されて、段ボール箱体３の潰れが防止される（図１ないし３参照）。こうして、保管中とか運搬中における、段ボール箱体３、ひいては梱包装置２あるいは梱包装置体１１の強度を、十分に確保することができる。
【００３６】
しかも、スペーサー７が、段ボール箱体３の側壁３ｆ、３ｆ間にちょうど嵌まることで、段ボール箱体３の潰れが一層防止され、こうして、保管中とか運搬中の強度を、一層十分に確保することができる。その上、スペーサー７が、段ボール箱体３における一の周壁Ｗ（詳細には、底壁３ｑ）と、管束１ａまたは／および回動部材５（図示実施の形態においては、管束１ａ）とに当接することから、運搬中の振動によって回動部材５および管束１ａが回動するのを阻止することができる。
【００３７】
また、ここで、スペーサー７には、段ボール箱体３の外部まで延びる針金８が接続されており、この針金８により、スペーサー７を所定の位置に留めることができる。
【００３８】
そして、通水管１を配管する場合には、図４および図５に示すように、スペーサー７が邪魔にならないように、そのスペーサー７を移動させることで管束１ａから離れさせる。具体的には、針金８を段ボール箱体３の外部から引くことで、スペーサー７を段ボール箱体３の隅部まで移動させる。このように、針金８を、段ボール箱体３の外部から操作することで、スペーサー７を簡単に移動させることができる。しかも、針金８には、その先端部分に、指を掛けることができる、指掛け部８ａが設けられている。したがって、スペーサー７を管束１ａから離れるように移動させる際に、この指掛け部８ａに指を掛けて引くことで、スペーサー７を、一層簡単に移動させることができる。ここで、スペーサー７の移動方向は、底壁３ｑに沿う方向であって、通水管１の引き出しによる管束１ａの回動によって、その管束１ａにおける底壁３ｑに面する部分が進む側の方向となっている。したがって、スペーサー７を管束１ａから離れるように移動させたときに、管束１ａが広がってスペーサー７に接触した場合であっても、管束１ａがスペーサー７を元の側に引き込むことがないので、スペーサー７が、管束１ａの回動を妨げることはない。
【００３９】
そこで、段ボール箱体３内の通水管１を、その端部から順に、段ボール箱体３に備わる引出部３ｃを通して、外に引き出すと、この引き出しに伴って、段ボール箱体３内の管束１ａが解かれるようにして、その管束１ａとともに回動部材５が回動する。こうして、管束１ａが解かれるように回動することで、通水管１が捩れることがなく、通水管１の巻き癖を取りながら引き出すことができ、通水管１の引き出し作業を簡単に行うことができる。そして、このようにして、段ボール箱体３から引き出された通水管１は、例えば、予め所定の配管経路に沿って配備された鞘管内に挿通されるようにして配管される。
【００４０】
ここにおいて、通水管１は、その有する剛性により、管束１ａの径が広がって下方に垂れ下がる虞がある（図５参照）。したがって、管束１ａが底壁３ｑに接触しないように、あるいは、底壁３ｑへの管束１ａの接触を和らげるように、管束１ａと底壁３ｑとの間の寸法を大きくする必要がある。その結果、段ボール箱体３は、その部分が潰れ易くなる。このとき、底壁３ｑと管束１ａとの間の間隙Ｓに、スペーサー７を配備することで、保管中とか運搬中の、段ボール箱体３の潰れを効率的に防止することができる（図１ないし３参照）。そして、底壁３ｑと、結束された管束１ａとの間の間隙Ｓが、管束１ａが広がって垂れ下がることのできる空間となることで、管束１ａの結束を開放したときに、管束１ａが底壁３ｑに接触することがなく、あるいは、底壁３ｑへの管束１ａの接触が和らげられたりし、これによって、通水管１の引き出しを円滑に行なうことができる（図５参照）。
【００４１】
また、回動部材５の回動軸心Ｊは、段ボール箱体３の上方側に、偏心位置している。したがって、底壁３ｑと管束１ａとの間の間隙Ｓが、確実に確保され、しかも、段ボール箱体３、ひいてはこの梱包装置体１１がコンパクトとなる。
【００４２】
また、スペーサー７は、段ボールが折り曲げられて形成されることから、このスペーサー７は、安価に製造され、かつ、容易に廃棄される。
【００４３】
また、回動部材５は、二つの分割体５ａ、５ａからなっている。そして、この回動部材５を、管束１ａに取り付けるにあたって、各分割体５ａ、５ａにおける、側板部５ｃ、５ｃから突設されて管束１ａの中央空間１ｄに挿入される挿入部５ｄ、５ｄ同士が、互いに他の挿入部５ｄを補強し合うように嵌め合わされて、二つの分割体５ａ、５ａは、互いに組み付けられる。こうして、挿入部５ｄ、５ｄが互いに他の挿入部５ｄを補強し合うことで、この回動部材５の強度は、十分に保たれる。そして、このように、二つの分割体５ａ、５ａは、挿入部５ｄ、５ｄ同士が嵌め合わされて互いに組み付けられ、この組み付けによって管束１ａに取り付けられる。すなわち、この回動部材５によれば、二つの分割体５ａ、５ａという簡単な構成で管束１ａへの取り付けを容易に行なうことができ、かつ、回動部材５は、段ボール製であっても、分割体５ａ、５ａにおける挿入部５ｄ、５ｄが互いに他の挿入部５ｄを補強し合うことで、この回動部材５の強度を十分に確保することができる。そして、図示実施の形態においては、二つの分割体５ａ、５ａは、それぞれの挿入部５ｄ、５ｄがスリット５ｅ、５ｅ部分での嵌め合いにより掛かり合うことで、これら二つの分割体５ａ、５ａは、確実に組み付けられる。そして、回動部材５は、段ボール製であるため、そのコストを低減することができ、かつ、梱包装置２の使用後に、この回動部材５を容易に廃棄することができる。
【００４４】
また、軸部材６は、その軸本体６ａが、側壁３ｆ、３ｆの外面と対向する両鍔部６ｂ、６ｂが離間しないように、それら鍔部６ｂ、６ｂを保持している。こうして、離間することのない両鍔部６ｂ、６ｂが、段ボール箱体３の側壁３ｆ、３ｆを挟むこととなり、通水管１を引き出す力とか管束１ａの自重等が、段ボール箱体３に作用した場合であっても、側壁３ｆ、３ｆ間が広がって段ボール箱体３が変形するのを防止することができ、通水管１の引き出し作業を安定して行うことができる。そして、軸部材６が紙製であるため、この軸部材６のコストを低減することができ、かつ、梱包装置２の使用後に、この軸部材６を容易に廃棄することができる。
【００４５】
なお、本発明は、上述した実施の形態に限定されるわけではなく、その他種々の変更が可能である。例えば、スペーサー７は、段ボール製であるが、広く紙製であってもよく、また、合成樹脂等、紙以外の材料で形成されてもよい。そして、スペーサー７は、段ボール箱体３の底壁３ｑと管束１ａとに当接する高さ寸法を有しているが、それ以下の高さであってもよい。
【００４６】
また、スペーサー７は、管束１ａから離れるように移動可能となっているが、この移動は、段ボール箱体３内での移動であってもよく、また、段ボール箱体３外に移動するものであってもよい。そして、このスペーサー７の移動には、針金８（線条材）を用いた構造が採用されているが、スペーサー７を移動させることができるのであれば、どのような構造であってもよく、また、特別の構造を有することなく、単に、スペーサー７を段ボール箱体３から取り出すだけでもよい。
【００４７】
また、スペーサー７は、底壁３ｑ（一の周壁Ｗ）と管束１ａとの間の間隙Ｓであって、最も狭くなった部分に配備されているが、間隙Ｓに配備されるのであれば、最も狭くなった部分からずれた位置に配備されてもよい。
【００４８】
また、回動部材５や軸部材６は、紙製でなくとも、合成樹脂製等、その他の材料からなっていてもよい。
【００４９】
また、段ボール箱体３における引出部３ｃは、その段ボール箱体３の一面を形成する壁の一部に設けられてもよいが、一面全体が、引出部３ｃとなっていてもよい。すなわち、段ボール箱体３の一面を形成する壁の一部が、引出部３ｃを開閉する蓋３ｄとなる場合の他に、その一面を形成する壁全体が、引出部３ｃを開閉する蓋３ｄとなっていてもよい。また、このように、引出部３ｃには、その引出部３ｃを開閉する蓋３ｄが設けられているが、この蓋３ｄは無くともよい。すなわち、引出部３ｃは、段ボール箱体３の壁部の適宜部分を除去することにより形成されてもよい。
【００５０】
また、通水管１を段ボール箱体３の外に引き出す前、すなわち使用前においては、通水管１の管束１ａは、バインド等の結束線１２によって結束されている（図２参照）。そして、通水管１を段ボール箱体３の外に引き出す際に、この結束線１２を切断する。しかし、この結束線１２が、管束１ａ全体を結束するものであると、切断することにより、管束１ａ全体がばらけ易くなり、通水管１を引き出すことによって、管束１ａから離れようとする部分の通水管１が、管束１ａの内部に食い込む虞がある。こうして、管束１ａから離れようとする部分の通水管１が管束１ａの内部に食い込むと、通水管１を引き出すためにその通水管１を強く引かなければならず、その結果、回動部材５とか軸部材６とか段ボール箱体３にかかる負荷が大きくなる。
【００５１】
そこで、管束１ａを結束線で結束するにあたって、その全体を一度に結束するのではなく、図９に示すように、第１段階として管束１ａの内側部分１ｅを結束線１２ａ、１２ａにより結束し、そして、第２段階として既に結束された部分の全体を含めてそれよりも外側部分１ｆまで結束線１２ｂ、１２ｂにより結束するというように、２段階に、あるいは３段階等、多段階に結束するのが好ましい。もっとも、第２段階以降の結束は、既に結束された部分の一部を含めてそれよりも外側部分まで結束してもよく、また、既に結束された部分とラップしないようにして、それよりも外側部分を結束してもよい。すなわち、管束１ａは、開放可能な結束手段としての結束線１２ａ、１２ｂによって結束されており、その結束は、管束１ａの外側部分の結束を開放しても、内側部分の結束が維持されるように、多段階の結束となっているのが好ましい。ところで、前記結束手段は、結束線１２、１２ａ、１２ｂでなくとも、例えば、管束１ａの側面１ｂ側から通水管１に嵌められる、Ｃ形形状等に形成された複数のクリップ部を有する、結束具であってもよい。
【００５２】
このように、通水管１の引き出し量に応じて、順次、外側から管束１ａの結束を開放することで（図示実施の形態においては、始めに、結束線１２ｂ、１２ｂを切断し、その後、結束線１２ａ、１２ａを切断することで）、管束１ａのばらける量を減らすことができる。こうして、管束１ａから離れようとする部分の通水管１が管束１ａの内部に食い込み難くなり、回動部材５とか軸部材６とか段ボール箱体３にかかる負荷が小さくなる。しかも、管束１ａの内側部分の結束が開放されるまでは、回動部材５が管束１ａと一体となって回動することが可能となり、通水管１が回動部材５と擦って傷付くのを防ぐことができ、また、通水管１の引き出しを円滑にすることができる。なお、管束１ａは、回動部材５の構成如何によっては、回動部材５とともに結束され得る。
【００５３】
また、この梱包装置２あるいは梱包装置体１１は、通水管１を引き出すにあたって、縦置きにして（段ボール箱体３の側壁３ｆが縦になった状態で）用いてもよいが、横置きにして（段ボール箱体３の側壁３ｆが横になった状態で）用いても勿論よい。
【００５４】
ところで、この梱包装置２および梱包装置体１１の構造は、通水管１の管束１ａを梱包する、通水管１の梱包装置、および通水管１の梱包装置体に適用されるが、その他に、通水管１を含み広く配管材の管束を梱包する、配管材の梱包装置、および配管材の梱包装置体に適用されてもよい。すなわち、この梱包装置および梱包装置体により、配管材を梱包するとともに、配管材をその端部から順に段ボール箱体の外に引き出すことができる。さらに、この構造は、配管材に限らず、配線材（ケーブル）を含むことで、周回状に巻回された配線・配管材の巻回束を梱包する、配線・配管材の梱包装置、および配線・配管材の梱包装置体に適用されてもよい。すなわち、この梱包装置および梱包装置体により、配線・配管材を梱包するとともに、配線・配管材をその端部から順に段ボール箱体の外に引き出すことができる。
【００５５】
【発明の効果】
以上、詳述したところから明らかなように、この発明に係る通水管の梱包装置、および通水管の梱包装置体によれば、次の効果がある。
【００５６】
請求項１に記載された通水管の梱包装置、および請求項１２に記載された通水管の梱包装置体によれば、段ボール箱体における管束の外周面と対向する一の周壁と、管束との間の間隙に、スペーサーが配備されて、段ボール箱体の潰れが防止されることから、保管中とか運搬中の強度を十分に確保することができる。
【００５７】
また、請求項２に記載された通水管の梱包装置によれば、請求項１の効果に加えて、スペーサーが、段ボール箱体の側壁間にちょうど嵌まることで、段ボール箱体の潰れが一層防止され、こうして、保管中とか運搬中の強度を、一層十分に確保することができる。
【００５８】
また、請求項３に記載された通水管の梱包装置によれば、請求項１または２の効果に加えて、スペーサーが管束または／および回動部材に当接することから、運搬中の振動によって回動部材および管束が回動するのを阻止することができる。
【００５９】
また、請求項４に記載された通水管の梱包装置によれば、請求項１ないし３のいずれか１項の効果に加えて、スペーサーに接続された線条材を、段ボール箱体の外部から操作することで、スペーサーを、簡単に移動させることができる。
【００６０】
また、請求項５に記載された通水管の梱包装置によれば、請求項４の効果に加えて、スペーサーに接続された線条材によって、スペーサーを所定の位置に留めることができる。
【００６１】
また、請求項６に記載された通水管の梱包装置によれば、請求項４または５の効果に加えて、スペーサーを管束から離れるように移動させる際に、線条材の指掛け部に指を掛けて引くことで、スペーサーを、一層簡単に移動させることができる。
【００６２】
また、請求項７に記載された通水管の梱包装置によれば、請求項１ないし６のいずれか１項の効果に加えて、スペーサーは、段ボールが折り曲げられて形成されることから、このスペーサーを安価に製造することができ、かつ、そのスペーサーの廃棄を容易に行なうことができる。
【００６３】
また、請求項８ないし１０に記載された通水管の梱包装置によれば、請求項１ないし７のいずれか１項の効果に加えて、管束と、通水管を引き出す際の底壁との間に、スペーサーを配備することで、保管中とか運搬中の、段ボール箱体の潰れを効率的に防止することができる。
【００６４】
また、請求項１１に記載された通水管の梱包装置によれば、請求項８または９の効果に加えて、スペーサーを管束から離れるように移動させたときに、管束が広がってスペーサーに接触した場合であっても、管束がスペーサーを元の側に引き込むことがないので、管束の回動を妨げることはない。
【００６５】
また、請求項１３に記載された通水管の梱包装置体によれば、請求項８ないし１１のいずれか１項の効果に加えて、底壁と、結束された管束との間の間隙が、管束が広がって垂れ下がることのできる空間となることから、管束が段ボール箱体の底壁に接触することがなく、あるいは、底壁への管束の接触が和らげられたりし、これによって、通水管の引き出しを円滑に行なうことができる。
【００６６】
また、請求項１４に記載された通水管の梱包装置体によれば、請求項１３の効果に加えて、回動部材の回動軸心が、段ボール箱体の上方側に偏心位置することから、底壁と管束との間の間隙を確実に確保することができ、しかも、段ボール箱体ひいてはこの梱包装置体をコンパクトにすることができる。
【図面の簡単な説明】
【図１】この発明に係る通水管の梱包装置、および通水管の梱包装置体の一実施の形態の、蓋を閉状態としたときの斜視図である。
【図２】同じく、図１におけるＡ−Ａ線による断面図である。
【図３】同じく、図１におけるＢ−Ｂ線による断面図である。
【図４】同じく、蓋を開状態としたときの斜視図である。
【図５】同じく、図４におけるＣ−Ｃ線による断面図である。
【図６】同じく、回動部材の斜視図である。
【図７】同じく、回動部材の分解斜視図である。
【図８】同じく、軸部材が、第１の分割体と第２の分割体とに分離された状態を示す斜視図である。
【図９】同じく、管束の結束方法の他の例を示す概略図である。
【図１０】従来の、ケーブルの収納装置を示す断面図である。
【符号の説明】
１  通水管                        １ａ  管束
１ｂ  側面                        １ｃ  外周面
２  梱包装置                      ３  段ボール箱体
３ｃ  引出部                      ３ｆ  側壁
３ｑ  底壁                        ３ｔ  上壁
５  回動部材                      ６  軸部材（支持部材）
７  スペーサー                    ８  針金（線条材）
８ａ  指掛け部                    １１  梱包装置体
Ｗ  一の周壁                      Ｓ  間隙
Ｊ  回動軸心
【図１】
2004231282.tif 000003
【図２】
2004231282.tif 000004
【図３】
2004231282.tif 000005
【図４】
2004231282.tif 000006
【図５】
2004231282.tif 000007
【図６】
2004231282.tif 000008
【図７】
2004231282.tif 000009
【図８】
2004231282.tif 000010
【図９】
2004231282.tif 000011
【図１０】
2004231282.tif 000012